(57)【要約】【課題】    イヤホン本体を使用者の耳に密着させ、容易に脱落しないようにしたアジャスタブル・ブルートース無線イヤホンを提供すること。【解決手段】  イヤホン本体１の前面上縁に接合部品２を枢着し、イヤホン本体１が接合部品２を軸として、全方位角度に回動を行い、且つ接合部品２の上に差込部３を固着する。差込部３が使用者の耳に差し込まれるときに、イヤホン本体１が全方位へ回動可能に構成する。【選択図】  図１
0003105934.tif 000002
【実用新案登録請求の範囲】
【請求項１】
イヤホン本体を含み、
その前面上縁において接合部品を枢着し、
前記接合部品の前半部には差込部が固定結合され、
差込部とイヤホン本体が一体となることによって、イヤホン本体と差込部が全方位の角度調整を行えることを特徴とする、
アジャスタブル・ブルートース無線イヤホン。
【請求項２】
前記イヤホン本体は、前部・後部ケースの相互組み立てによってなり、前記前部ケースの前面上縁にはフランジが延伸し、その背面が対応して凹部を形成し、且つフランジの上には前記接合部品が貫通できる貫通孔を設け、接合部品後半部の枢着部と本体凹部を枢着させ、全方位角度の調整を行えることを特徴とする、請求項１に記載のアジャスタブル・ブルートース無線イヤホン。
【請求項３】
前記接合部品の前半部両側にそれぞれ水平に位置決め部を延伸し、且つ差込部の底部側に凹部を設け、前記凹部の中に接合部品前半部の形状にマッチするガイド溝を設け、前記ガイド溝に接合部品の前半部部位をはめ込むことによって、接合部品前半部の位置決め部がガイド溝に引導されて基盤の中に入り、且つ基盤をある角度で回転させ、前記位置決め部と基盤凹部の内壁面を緊密に固着させることを特徴とする、請求項１に記載のアジャスタブル・ブルートース無線イヤホン。
【請求項４】
前記イヤホン本体の凹部内にはガイド部を設け、且つ接合部品の枢着部表面を球面状とし、イヤホン本体及び接合部品が相互に摺接して、回動できるようにしたことを特徴とする、請求項２に記載のアジャスタブル・ブルートース無線イヤホン。
【請求項５】
前記差込部は、基盤及び基盤をカバーするカバー体を含むことを特徴とする、請求項３に記載のアジャスタブル・ブルートース無線イヤホン。
【考案の詳細な説明】
【技術分野】
【０００１】
本考案は、アジャスタブル・ブルートース無線イヤホン、特にイヤホン本体を全方位に回転できて、差込部が使用者の耳にピッタリと差し込まれ、容易に耳から脱落しないようにしたアジャスタブル・ブルートース無線イヤホンに関するものである。
【背景技術】
【０００２】
携帯電話を持ったままの自動車運転交通事故の発生率の急増の欠点を有効に減らすため、現在各国において関連法令が制定され、今後自動車運転中に、携帯電話を持って他人と通話することを禁じ、交通事故の発生率を有効に下げようとしている。そのため、政府法令の実施に備え、ニーズに応じた製品が数多く発売されている。
【０００３】
その中でも、最もよく見かけるのは、自動車用ハンドフリー受話器（hand free kit）であり、その作用はドライバーが車に乗る前に、まず携帯電話をハンドフリー受話器の台座に載せ、電話がかかって来たとき、装置上の拡声器または車内の拡声システムによって通話内容が放送されるというものである。
しかし、この方法はハンドフリーで他人と通話できるが、ハンドフリー受話器の裝置は車内の内蔵スピーカーとつながっており、ドライバーが他人と通話するとき、雑音または反響音が大きすぎる恐れがあり、相手の電話をよく聞き取れない。さらに車内に他の乗客がいる場合、通話内容が筒抜けとなるため、車内ハンドフリー受話器裝置は好ましい設計とは言えない。
【０００４】
車内ハンドフリー裝置において発生する欠点を解決するため、耳掛け式又はヘッドホン式無線イヤホンが出現した。これは無線イヤホンを使用者の耳部又は使用者の頭部に掛けるもので、使用者と他人が通話するとき過大な反響音の発生及び通話内容が暴露される欠点を無くしたものである。しかし一般市販の耳掛け式又はヘッドホン式無線イヤホンは、通常無線機本体と一体成型で作られているため、使用者の耳型や頭型によって適度に角度の調整を行うことが出来ず、使用者にとっては快適なものではない。
【０００５】
このように、上記した従来の装置にはまだ多くの欠点があり、よい設計とは言い難く、改良が待たれていた。
本案の考案者は上記従来のイヤホンに発生する各項の欠点に鑑み、新規改良を目指し、且つ長年苦心研鑽の末、ついに本案に係るアジャスタブル・ブルートース無線イヤホンの研究開発に成功した。
【考案の開示】
【考案が解決しようとする課題】
【０００６】
本考案の目的は、全方位の角度調整が可能なアジャスタブル・ブルートース無線イヤホンを提供することにある。
【０００７】
本考案のもう一つの目的は、差し込部が使用者の耳にピッタリとはまり、容易に耳から脱落しないアジャスタブル・ブルートース無線イヤホンを提供することにある。
【０００８】
本考案の又もう一つの目的は、構造が簡単で、組み立てが易しく、操作が便利など、幾多の長所を持つアジャスタブル・ブルートース無線イヤホンを提供することにある。
【課題を解決するための手段】
【０００９】
前記した本考案の目的に適うアジャスタブル・ブルートース無線イヤホンを具現するため、本考案はイヤホン本体と、接合部品及び差込部とで構成される。前記イヤホン本体の前面上縁には、背面と対応して凹部を形成するフランジが延伸し、前記凹部の周辺にはガイド部が取り巻き、且つ前記フランジの上には貫通孔が開設されている；前記接合部品の後半部には枢着部が設けられ、前記枢着部の前半部には水平に位置決め部が延伸している。前記接合部品前半部の位置決め部をイヤホン本体の貫通孔に貫通させることによって、後半部の枢着部と本體凹部とを枢着させ、且つ凹部のガイド部と接触させることによって、接合部品を位置づけし、イヤホン本体が接合部品を軸として、全方位角度の調整を行えるようにしてある。前記差込部の底部側には凹部が設けられ、前記凹部の中には接合部品前半部の形状とマッチするガイド溝が設けられ、前記差込部の底部ガイド溝を接合部品の前半部部位にはめ込み、接合部品前半部の位置決め部を差し込み部に入れ、且つ差込部をある角度で回転させることによって、前記位置決め部と差し込み部の凹部内壁面をピッタリと結合させて差込部と接合部品を連動させ、且つ前記凹部が本体頂部のフランジを完全にカバーし、差込部とイヤホン本体を一体に連結させる。これによって、差込部を使用者の耳に差し込んだとき、イヤホン本体が全方位に回動する特性によって、イヤホン本体を下へ押さえ且つ使用者の顔面頬部位に当接させ、イヤホン本体と差込部で夾角を形成し、差込部を更に使用者の耳にピッタリ差し込ませ、脱落しにくくし、音声の接収を安定して行えるようにする。
【考案の効果】
【００１０】
本考案に係るアジャスタブル・ブルートース無線イヤホンは、従来の技術と比較してつぎのような長所がある。
１．本考案では、接合部品によってイヤホン本体と差込部を一体に結合させ、且つ前記接合部品はイヤホン本体と互いに枢着し、イヤホン本体が接合部品を軸として、全方位の角度調整が可能である。差込部はピッタリと使用者の耳部に差し込めることによって、容易に脱落しない。
２．本考案では、構造が簡単で、操作が便利で、かつ組み立てが容易等の幾多な長所がある。
【考案を実施するための最良の形態】
【００１１】
以下に図面を参照しながら、本考案の好ましい形態について詳細に説明する。
【００１２】
図１〜図３は、本考案が提供するアジャスタブル・ブルートース無線イヤホンを示す。
本考案に係るアジャスタブル・ブルートース無線イヤホンは、
主として、本体の前部・後部ケース１１、１２を相互に組み立てて形成され、前記前部ケース１１の前面上縁にはフランジ１１１が延伸し、その背面が対応して凹部を形成している（図には未表示）、前記凹部の周辺にはガイド部１１２が取り巻き、且つ前記フランジ１１１の上には貫通孔１１３が開設してあることを特徴とするイヤホン本体１と、
接合部品２の後半部に枢着部２１を設け、前記枢着部２１の表面は球面状であってもよく、そして接合部品２の前半部の両側にはそれぞれ水平に位置決め部２２が延伸している。接合部品２の前半部位置決め部２２がイヤホン本体１の前部ケース１１の背面において貫通孔１１３へ向かって貫通する事によって、前記接合部品２の位置決め部２２を前部ケース１１のフランジ貫通孔１１３の外に突出させ、その後半部の枢着部２１は前部ケース１１背面の凹部と相互に枢着し、且つその球形表面は凹部のガイド部１１２と接触することによって、接合部品２の位置決めを行い、イヤホン本体１が接合部品２の枢着部２１を軸とし、且つガイド部１１２の助けを借りて、３６０度の回転及び上・下・左・右などの全方位角度の調整をおこなうことが出来ることを特徴とした接合部品２と、
基盤３２及びカバー体３１によって構成され、前記カバー体３１は基盤３２の頂上面にかぶせられ、基盤３２をカバーしている、前記基盤３２の底部側には凹部が設けられ（図には未表示）、前記凹部の中には、接合部品２前半部の形状にマッチするガイド溝３２１を設け、基盤３２底部側のガイド溝３２１を接合部品２の前半部部位にはめ込むことによって、接合部品２前半部の位置決め部２２がガイド溝３２１に引導されて基盤３２の中に入り、且つ基盤３２をある角度で回転させ、前記位置決め部２２と基盤３２凹部の内壁面をピッタリ結合させ、且つ前記凹部が本體１の頂上面のフランジ１１１を完全にカバーし、差込部３が接合部品２と連動すると共にイヤホン本体１と一体になることを特徴とした差込部３と、を含む。
【００１３】
図４Ａ、Ｂ及び図５は、本考案の動作及び実施の形態を示す略図である。
イヤホン本体１を使用するとき、前記差込部３を使用者４の耳部４１に差込むことによって、差込部３及び接合部品２を位置決めする。この時、イヤホン本体１の３６０度回転及び上・下・左・右等全方位角度調整できる特性及び使用者４の顔形に従って、イヤホン本体１を適度に角度調整し、イヤホン本体１が頬４２の曲線形状に基づいて、使用者４の頬４２部位に当接し、更に差込部３と夾角を形成し、この夾角の形成を通じて、差込部３を一層ピッタリと使用者４の耳部４１に差込んで、脱落し難くくさせ、安定して音声の収集を行う目的を達成するものである。
【００１４】
上述した説明は、本考案の一つの実施可能な例示に過ぎず、これらの実施の形態例は、本考案の実用新案登録請求の範囲を制限するものではなく、本考案の技術思想に基づく同等効果の実施又は変更は、すべて本案の実用新案登録請求の範囲に含まれるものとする。
【図面の簡単な説明】
【００１５】
【図１】本考案に係るアジャスタブル・ブルートース無線イヤホンの構成を示す分解図である。
【図２】本考案に係るアジャスタブル・ブルートース無線イヤホンの構成を示す立体図である。
【図３】本考案に係るアジャスタブル・ブルートース無線イヤホンの接合部品と差込部の結合構成を示す略図である。
【図４Ａ】本考案に係るアジャスタブル・ブルートース無線イヤホンの作動状態を示す略図である。
【図４Ｂ】本考案に係るアジャスタブル・ブルートース無線イヤホンの作動状態を示す略図である。
【図５】本考案に係るアジャスタブル・ブルートース無線イヤホンの実施例を示す略図である。
【符号の説明】
【００１６】
１・・・・イヤホン本体
１１・・・前部ケース
１１１・・フランジ
１１２・・ガイド部
１１３・・貫通孔
１２・・・後部ケース
２・・・・接合部品
２１・・・枢着部
２２・・・位置決め部
３・・・・差込部
３１・・・カバー体
３２・・・基盤
３２１・・ガイド溝
４・・・・使用者
４１・・・耳部
４２・・・頬
【図１】
0003105934.tif 000003
【図２】
0003105934.tif 000004
【図３】
0003105934.tif 000005
【図４Ａ】
0003105934.tif 000006
【図４Ｂ】
0003105934.tif 000007
【図５】
0003105934.tif 000008